(57)【要約】【課題】リップ溝形鋼を背合わせに連結した軸柱を有する鉄骨軸組に、一般的な市販タイプの木造軸組用サッシを合理的に取り付け得るサッシ枠の取付構造を提供する。【解決手段】一対のリップ溝形鋼１０を背合わせに連結した軸柱１００に対して、一側面に断面略凸字状の嵌合凸部５１を具備する下地木材５が、該嵌合凸部５１をリップ溝形鋼１０の開口内に嵌め込むようにして添設され、該下地木材５の少なくとも屋外側見付面及び見込面に対して、サッシ枠４０の開口面外方向に張り出した取付片４１及び見込部がそれぞれビス固定される。【選択図】図１
2008156928.tif 000002
【特許請求の範囲】
【請求項１】
一対のリップ溝形鋼を、互いの開口を背合わせに連結して軸柱となし、該軸柱を所定のモジュールに合わせて配列した鉄骨軸組において、
一側面に断面略凸字状の嵌合凸部を具備する下地木材が、該嵌合凸部をリップ溝形鋼の開口内に嵌め込むようにして軸柱に添設され、
該下地木材の少なくとも屋外側見付面及び見込面に対して、サッシ枠の開口面外方向に張り出した取付片及び見込部をそれぞれビス固定することにより、上記鉄骨軸組にサッシ枠が固定されたことを特徴とするサッシ枠の取付構造。
【請求項２】
下地木材は、軸柱を構成するリップ溝形鋼のウェブと下地部材とを軸組の面内方向に貫通するボルト部材によって軸柱に結合されたことを特徴とする請求項１に記載のサッシ枠の取付構造。
【請求項３】
軸柱を構成する一対のリップ溝形鋼のうちサッシ側に位置する一方のリップ溝形鋼の屋外側見付面から下地木材の屋外側見付面にかけての範囲を覆うようにして外壁パネルが取り付けられ、外壁パネルは、一方の側縁部に設けられた凹溝が、軸柱に掛着した外壁パネル取付金具に係合して固定されたことを特徴とする請求項１又は２に記載のサッシ枠の取付構造。
【請求項４】
外壁パネルの他方の側縁部に設けられた凹溝が、サッシ枠の取付片と一緒に下地木材にビス固定されたクリップ部材に係合して固定されたことを特徴とする請求項３に記載のサッシ枠の取付構造。
【請求項５】
下地木材の屋外側見付面に断面略矩形の補助下地材が添設され、軸柱を構成する一対のリップ溝形鋼のうちサッシ側に位置する一方のリップ溝形鋼の屋外側見付面から下地木材及び上記補助下地材の屋外側見付面にかけての範囲を覆うようにして付帯枠アタッチメントが取り付けられ、
付帯枠アタッチメントの一方の側縁部には断面略Ｌ字状又は略コ字状の軸組側固定片が形成され、この軸組固定片が軸柱に掛着した外壁パネル取付金具に係合して固定されるとともに、
付帯枠アタッチメントの他方の側縁部には断面略Ｌ字状のサッシ側固定片が形成され、このサッシ側固定片が上記補助下地材の屋外側見付面に対してビス固定されたことを特徴とする請求項１又は２に記載のサッシ枠の取付構造。
【請求項６】
付帯枠アタッチメントの屋外側に雨戸シャッター用レール枠その他、適宜の付帯枠が取り付けられたことをことを特徴とする請求項５記載のサッシ枠の取付構造。
【請求項７】
軸柱を構成する一対のリップ溝形鋼のうちサッシ側に位置する一方のリップ溝形鋼の屋外側見付面から下地木材の屋外側見付面にかけて、気密防水テープが貼着されたことを特徴とする請求項１乃至６のいずれかに記載のサッシ枠の取付構造。
【発明の詳細な説明】
【技術分野】
【０００１】
本発明は、鉄骨軸組壁工法におけるサッシ枠の取付構造に関する。
【背景技術】
【０００２】
プレファブ住宅等に好適な軽量鉄骨軸組壁工法として、本出願人は、例えば特許文献１〜３に示すような鉄骨軸組と外壁パネルとの取付構造を開発し、実用化している。かかる取付構造においては、図５及び図６に示すように、リップ溝形鋼１０を矩形に枠組みして軸組パネル１となし、この軸組パネル１を互いに隣接させて建て込むことにより、一対のリップ溝形鋼１０が互いの開口を背合わせにして連結された軸柱１００を構成している。そして、図６に示すように、この軸柱１００に掛着した外壁パネル取付金具２を介して、側縁部に凹溝３１を設けた外壁パネル３を軸組に固定している。軸柱１００及び外壁パネル３は、所定のモジュール心Ｎに合わせて割り付けられる。これにより、壁体を構成する部材の標準化と施工性の向上を図っている。
【０００３】
ところで、このような鉄骨軸組では、軸組パネル１の内側に開口部用のサッシを取り付けようとすると、軸柱１００（リップ溝形鋼１０）の開口がサッシ側に向いているために、例えば特許文献４に示すような市販タイプの木造軸組用サッシを軸柱１００に取り付けることが難しく、軸柱１００とサッシ枠との取り付けに特殊な納まりが必要になる。
【０００４】
図７は、従来、本出願人が独自に採用してきた専用サッシ枠４の取付構造の一例を示す。例示の取付構造では、サッシ枠４の外側に、開口面外方向に張り出す取付片４１を設け、この取付片４１を軸柱１００の屋外側見付面に被る位置まで延ばしている。そして、該取付片４１を、軸柱１００に掛着した外壁パネル取付金具２に係合させて軸柱１００に固定している。さらに、上記取付片４１の屋外側に化粧枠部４２を一体的に成形し、この化粧枠部４２を外壁パネル３の外装材３２と連続させるようにして外観意匠を整えている。
【０００５】
しかし、このように、リップ溝形鋼１０からなる軸柱１００に合わせた専用のサッシ枠４を用意するのは、時間的にもコスト的にも不経済である。また、サッシメーカーが提供する多種多様な市販タイプのサッシを容易に利用できないことから、意匠面や機能面での選択の自由度が限定されてしまう。
【特許文献１】特開平５−３２１３６８号公報
【特許文献２】特開平５−３２１３６９号公報
【特許文献３】特開平１０−２０５６号公報
【特許文献４】特開平９−２３５９４８号公報
【発明の開示】
【発明が解決しようとする課題】
【０００６】
本発明は上記のような事情に鑑みてなされたもので、リップ溝形鋼を背合わせに連結した軸柱を有する鉄骨軸組に、一般的な市販タイプの木造軸組用サッシを合理的に取り付け得るサッシ枠の取付構造を提供するものである。
【課題を解決するための手段】
【０００７】
上記した目的を達成するため、本発明のサッシ枠の取付構造は、一対のリップ溝形鋼を、互いの開口を背合わせに連結して軸柱となし、該軸柱を所定のモジュールに合わせて配列した鉄骨軸組において、一側面に断面略凸字状の嵌合凸部を具備する下地木材が、該嵌合凸部をリップ溝形鋼の開口内に嵌め込むようにして軸柱に添設され、該下地木材の少なくとも屋外側見付面及び見込面に対して、サッシ枠の開口面外方向に張り出した取付片及び見込部をそれぞれビス固定することにより、上記鉄骨軸組にサッシ枠が固定されたことを特徴とする。
【０００８】
上記発明において、下地木材は、軸柱を構成するリップ溝形鋼のウェブと下地部材とを軸組の面内方向に貫通するボルト部材によって軸柱に結合されるのが好ましい。
【０００９】
さらに、本発明のサッシ枠の取付構造は、軸柱を構成する一対のリップ溝形鋼のうちサッシ側に位置する一方のリップ溝形鋼の屋外側見付面から下地木材の屋外側見付面にかけての範囲を覆うようにして外壁パネルが取り付けられ、外壁パネルは、一方の側縁部に設けられた凹溝が、軸柱に掛着した外壁パネル取付金具に係合して固定されたことものとすることができる。外壁パネルの他方の側縁部に設けられた凹溝は、サッシ枠の取付片と一緒に下地木材にビス固定されたクリップ部材に係合して固定されてもよい。
【００１０】
また、本発明のサッシ枠の取付構造は、下地木材の屋外側見付面に断面略矩形の補助下地材が添設され、軸柱を構成する一対のリップ溝形鋼のうちサッシ側に位置する一方のリップ溝形鋼の屋外側見付面から下地木材及び上記補助下地材の屋外側見付面にかけての範囲を覆うようにして付帯枠アタッチメントが取り付けられ、付帯枠アタッチメントの一方の側縁部には断面略Ｌ字状又は略コ字状の軸組側固定片が形成され、この軸組固定片が軸柱に掛着した外壁パネル取付金具に係合して固定されるとともに、付帯枠アタッチメントの他方の側縁部には断面略Ｌ字状のサッシ側固定片が形成され、このサッシ側固定片が上記補助下地材の屋外側見付面に対してビス固定されたものとすることもできる。
【００１１】
上記付帯枠アタッチメントの屋外側には、雨戸シャッター用レール枠その他、適宜の付帯枠を取り付けることもできる。
【００１２】
さらに、本発明のサッシ枠の取付構造は、軸柱を構成する一対のリップ溝形鋼のうちサッシ側に位置する一方のリップ溝形鋼の屋外側見付面から下地木材の屋外側見付面にかけて、気密防水テープが貼着されたことを特徴とする。
【発明の効果】
【００１３】
本発明のサッシ枠の取付構造は、リップ溝形鋼からなる軸柱の開口に取り付けた下地木材をサッシ枠の固定用下地となすように構成されるので、この下地木材の屋外側見付面及び見込面を利用して、一般的な市販タイプの木造軸組用サッシを納まりよく取り付けることができる。
【００１４】
さらに、リップ溝形鋼の屋外側見付面から下地木材の屋外側見付面にかけては、これらの面を覆うようにして、外壁パネルや雨戸シャッター用レール枠その他、適宜の付帯枠を好適に取り付けることができる。
【発明を実施するための最良の形態】
【００１５】
以下、本発明の実施の形態について図を参照して説明する。
【実施例１】
【００１６】
図１〜図２は本発明の第一実施例を示す。符号１０は軸組パネルの一部を構成する軸柱である。軸柱１００は、一対のリップ溝形鋼１０を、互いの開口を背合わせに連結して構成される。軸組パネルの屋外側には、軸柱１００に掛着した外壁パネル取付金具２を介して、外壁パネル３が取り付けられる。
【００１７】
外壁パネル取付金具２は、図２（ａ）に示すように、基板２１に回動自在に取り付けられた２枚の押え片２２を有しており、外壁パネル３の側縁部に設けた凹溝３１に、横向きにした押え片２２を係合させることにより、外壁パネル３を軸柱１００に押しつけるようにして固定する。基板２１は、一対のリップ溝形鋼１０の隙間に挿入される位置決め用突起部２３と、一方のリップ溝形鋼１０に嵌着されるバネ鋼板製のクリップ部材２４によって、軸柱１００の屋外側見付面に取り付けられる。ただし、本発明においては、外壁パネル取付金具２を軸柱１００に固定する手段は特に限定しない。また、図２（ｂ）に示すような、押え片２２を１枚ずつ有する外壁パネル取付金具２を用いて、あらかじめ各軸組パネル１のリップ溝形鋼１０にそれぞれ外壁パネル３を取り付けておき、これを建て込んで軸組を構成することもできる。軸組パネル１の屋内側には、適宜の断熱材１１や内装下地材１２等を介して内装材１３が張設される。
【００１８】
本発明の要部は、壁面の開口部側に近接する軸柱１００において、その一方（図１中の右側）のリップ溝形鋼１０に取り付けられる下地木材５にある。下地木材５は、図１に示すように、一側面に断面略凸字状の嵌合凸部５１を具備しており、この嵌合凸部５１をリップ溝形鋼１０の開口内に嵌め込むようにして軸柱１００に添設される。例示の形態では、リップ溝形鋼１０の開口内への挿入性と密着性を高めるため、嵌合凸部５１の一方の側端面はテーパ状に傾斜し、他方の側端面は当接面と直交するように形成されている。
【００１９】
下地木材５と軸柱１００とは、これらを軸組の面内方向に貫通するボルト部材６１によって結合される。ボルト部材６１は、軸柱１００を構成するリップ溝形鋼１０のウェブと下地木材５に、上下方向に適宜の間隔を設けて形成された複数箇所のボルト挿通孔（図示せず）に挿通され、外壁パネル取付金具２と干渉しないように取り付けられる。また、下地木材５には、ボルト部材６１の頭部を沈めるための座ぐり孔５２が形成されている。リップ溝形鋼１０の屋外側見付面から下地木材５の屋外側見付面にかけては、必要に応じて、気密防水テープ６２が貼着される。
【００２０】
こうして一体化された軸柱１００と下地木材５に対して、サッシ枠４０や、その周辺部材が取り付けられる。市販タイプの木造軸組用サッシ枠の多くは、その屋内側半部を、開口部の外側に配した適宜の下地部材に対して開口面内側からビス固定するとともに、サッシ枠の開口面外方向に張り出した取付片を、上記下地部材等に対して屋外側からビス固定する構造を採用している。例示のサッシ枠４０は、屋外側半部と屋内側半部とが断熱樹脂を介して結合された断熱サッシ枠であるが、屋外側半部から取付片４１が開口面外方向に張り出している。下地木材５は、その屋外側見付面が、ちょうどサッシ枠４０から張り出した取付片４１に当接するように形成され、これらの重なり部分が屋外側からビス６３により固定される。また、サッシ枠４０の屋内側半部は、開口面内側から、下地木材５の見込面に対してビス６４により固定される。屋内側の額縁材１４も、サッシ枠４０の屋内側半部と下地木材５との間に取り付けられる。
【００２１】
このように、軸柱１００に添設した下地木材５に対してサッシ枠４０をビス固定する納まりを採用することにより、サッシ枠４０の施工性が各段に向上する。下地木材５の断面形状は、個々の木造軸組用サッシ枠に合わせて、軸柱１００に添設されたときの屋外側見付面及び見込面が適切に位置するように設計される必要があるが、木材であるから個別加工は金属材に比べてはるかに容易である。
【００２２】
こうして軸柱１００とサッシ枠４０とが連結されたならば、サッシ枠４０の外側の外装を仕上げる。軸柱１００は所定のモジュール心Ｎに配置されており、軸柱１００とサッシ枠４０との間に隙間ができるので、この部分を外装材または化粧用の部材で被覆し、さらに防水処理する必要がある。例示の形態では、軸柱１００とサッシ枠４０と間に幅の狭幅用の外壁パネル３Ａを張設している。狭幅用の外壁パネル３Ａは、一般部用の外壁パネル３と同様に、両側縁部に凹溝３１を有しており、モジュール心Ｎ側に位置する凹溝３１が、軸柱１００に掛着した外壁パネル取付金具２に係合される。また、サッシ側に位置する凹溝３１は、サッシ枠４０の取付片４１と一緒に下地木材５にビス固定したクリップ部材７に係合される。クリップ部材７は、取付片４１の屋外側に重ねて固定される基片７１と、基片７１の縁部から屋外側に突出した腕片７２と、腕片７２の先端から折り返された断面逆ヘ字状の爪片７３とを有し、爪片７３が凹溝３１に弾性的に係合して外壁パネル３を保持するように構成されている。狭幅用の外壁パネル３Ａと一般部用の外壁パネル３との目地部分、及び、狭幅用の外壁パネル３Ａとサッシ枠４０との隙間には、防水用のシール材６５が嵌め込まれる。
【００２３】
このような構成によれば、外壁パネル３をサッシ枠４０の直近まで連続的に張設することができる。したがって、例えば、市販タイプの木造軸組用サッシ枠の意匠を必要以上に目立たせることなく、外装材３２の意匠性を強調したいような設計には好都合である。
【実施例２】
【００２４】
図３〜図４は本発明の第二実施例を示す。図４は、図３の断面図に示された部材の形状を分かりやすくするために、各部材を分解して示した図である。一対のリップ溝形鋼１０からなる軸柱１００の構成、外壁パネル取付金具２を介して軸柱１００に外壁パネル３を固定する構成、軸柱１００に下地木材５を添設する構成、及びサッシ枠４０を下地木材５にビス固定する構成は、上記第一実施例と同様であり、詳細な説明は省略する。なお、この第二実施例に係る下地木材５は、屋内側の額縁材との取り合いの関係上、見込面の屋内側半部が一部、切り欠かれている。
【００２５】
この実施例では、軸柱１００とサッシ枠４０との間に、外壁パネル３ではなく、雨戸シャッター用レール枠８１を取り付けている。雨戸シャッター用レール枠８１は、補助下地材８２及び付帯枠アタッチメント８３を介して取り付けられる。
【００２６】
補助下地材８２は、略矩形の断面形状をなし、サッシ枠４０の外側に当接するようにして下地木材５の屋外側見付面にビス６５で固定される。
【００２７】
付帯枠アタッチメント８３は、その一方の側縁部に断面略Ｌ字状又は略コ字状の軸組側固定片８４を有し、他方の側縁部には断面略Ｌ字状のサッシ側固定片８５を有している。そして、軸組側固定片８４が、軸柱１００に掛着した外壁パネル取付金具２に係合して固定され、サッシ側固定片８５が、補助下地材８２の屋外側見付面に対してビス６６により固定される。付帯枠アタッチメント８３と一般部用の外壁パネル３との目地部分、及び、付帯枠アタッチメント８３とサッシ枠４０との隙間には、防水用のシール材６５が嵌め込まれる。そして、この付帯枠アタッチメント８３の屋外側に、雨戸シャッター用レール枠８１や、その他サッシ枠４０に付随する設備や化粧材など、適宜の付帯枠が取り付けられる。付帯枠アタッチメント８３及び付帯枠の断面形状は、その目的や用途に応じて適宜設計可能である。
【００２８】
なお、付帯枠アタッチメント８３に付帯枠を取り付けず、付帯枠アタッチメント８３の表面を化粧仕上げとしてそのまま外観に露出させることもできる。付帯枠を取り付ける場合、及び取り付けない場合のいずれであっても、付帯枠アタッチメント８３を利用することにより、市販タイプの木造軸組用サッシ枠４０を用いた場合のデザイン的なばらつき感を目立たなくして、開口部周りの外観意匠に統一感を形成しやすくなる。
【図面の簡単な説明】
【００２９】
【図１】本発明の第一実施例に係るサッシ枠の取付構造の断面図である。
【図２】外壁パネル取付金具の構成例を示す斜視図である。
【図３】本発明の第一実施例に係るサッシ枠の取付構造の断面図である。
【図４】図３に示された部材を分解して示した図である。
【図５】従来の鉄骨軸組壁工法に用いられる軸組パネルの斜視図である。
【図６】上記従来工法における軸柱と外壁パネルとの取付構造を示す断面図である。
【図７】上記従来工法における専用サッシ枠の取付構造を示す断面図である。
【符号の説明】
【００３０】
１０  リップ溝形鋼
１００  軸柱
２  外壁パネル取付金具
３  外壁パネル
３１  凹溝
４０  サッシ枠
４１  取付片
５  下地木材
５１  嵌合凸部
６１  ボルト部材
６２  気密防水テープ
７  クリップ部材
８１  雨戸シャッター用レール枠（付帯枠）
８２  補助下地材
８３  付帯枠アタッチメント
８４  軸組側固定片
８５  サッシ側固定片
【図１】
2008156928.tif 000003
【図２】
2008156928.tif 000004
【図３】
2008156928.tif 000005
【図４】
2008156928.tif 000006
【図５】
2008156928.tif 000007
【図６】
2008156928.tif 000008
【図７】
2008156928.tif 000009